(57)【要約】【課題】ＵＳＢ機器から表示すべき画像を表す画像データを取得するプロジェクタにおける、ＵＳＢ機器の盗難、紛失の抑制【解決手段】プロジェクタ１０は、画像を形成する画像形成光学系と、画像をスクリーンに投射する投射光学系とを収容する筐体１２を備える。筐体１２には、プロジェクタ１０に投射させるための画像データが格納されているＵＳＢメモリ５０をＵＳＢインタフェースに接続された状態でＵＳＢメモリ５０の外形全体を収容する、窪み状に形成された収容部１６が設けられている。蓋１３は、ＵＳＢメモリ５０が、収容部１６に収容された状態でＵＳＢメモリ５０を覆うように、筐体１２に装着される。こうすれば、ＵＳＢメモリ５０がＵＳＢインタフェースに接続されている状態で、プロジェクタ１０の外部に露出されることを回避できるので、ＵＳＢメモリ５０の盗難・紛失を抑制できる。【選択図】図１
2010055363.tif 000002
【特許請求の範囲】
【請求項１】
プロジェクタであって、
筐体と、
前記筐体に設けられ、前記画像データを記憶するユニバーサルシリアルバス（Universal Serial Bus：ＵＳＢ）機器を接続するための接続部と、
前記ＵＳＢ機器が前記接続部に接続された状態で前記ＵＳＢ機器を覆うように、前記筐体に装着される被覆部材と、を備えるプロジェクタ。
【請求項２】
請求項１記載のプロジェクタであって、更に、
前記接続部を有し、前記ＵＳＢ機器を収容する収容部を備えており、
前記被覆部材は、前記収容部に装着されるとともに、前記収容部に装着された状態で前記筐体の外形に沿うように形成されている、プロジェクタ。
【請求項３】
請求項１または請求項２記載のプロジェクタであって、更に、
前記プロジェクタの保守もしくは点検に使用される開口部を備え、
前記被覆部材は、前記収容部と前記開口部とを共に覆うように形成されている、プロジェクタ。
【請求項４】
請求項１ないし請求項３いずれか記載のプロジェクタであって、更に、
前記ＵＳＢ機器が前記接続部に接続された状態で、前記被覆部材が前記筐体から取り外されることを防止する防止手段を備える、プロジェクタ。
【請求項５】
請求項４記載のプロジェクタであって、
前記プロジェクタは、電源プラグを接続するためのソケットを備えており、
前記防止手段は、前記ソケットに前記電源プラグが接続されている場合、前記被覆部材が前記筐体から取り外されることを防止する、プロジェクタ。
【請求項６】
請求項４記載のプロジェクタであって、
前記プロジェクタは、電源プラグを接続するためのソケットを備えており、
前記防止手段は、前記ソケットに前記電源プラグが接続されていない場合、前記被覆部材が前記筐体から取り外されることを防止する、プロジェクタ。
【請求項７】
請求項４記載のプロジェクタであって、
前記プロジェクタは、画像を投射表示するための投射レンズを備えており、
前記筐体は、前記投射レンズを保護するためのレンズカバーを備えており、
前記防止手段は、前記レンズカバーが開いている場合に、前記被覆部材が前記筐体から取り外されることを防止する、プロジェクタ。
【請求項８】
請求項４記載のプロジェクタであって、
前記プロジェクタは、画像を投射表示するための投射レンズを備えており、
前記筐体は、前記投射レンズを保護するための開閉式のレンズカバーを備えており、
前記防止手段は、前記レンズカバーが閉じている場合に、前記被覆部材が前記筐体から取り外されることを防止する、プロジェクタ。
【請求項９】
請求項１ないし請求項８いずれか記載のプロジェクタであって、
前記被覆部材および前記筐体の少なくとも一方は、前記ＵＳＢ機器の接続状態が視認可能となるように構成された確認手段を備える、プロジェクタ。
【請求項１０】
請求項１ないし請求項９いずれか記載のプロジェクタであって、
前記被覆部材は、前記ＵＳＢ機器に係合する係合部材であって、前記被覆部材の筐体からの取り外しに伴って、前記ＵＳＢ機器が前記接続部から取り外されるように構成された係合部材を備える、プロジェクタ。
【発明の詳細な説明】
【技術分野】
【０００１】
本発明は、ＵＳＢ機器を接続するための接続部を備えるプロジェクタに関し、特に、プロジェクタに接続されたＵＳＢ機器の紛失やＵＳＢ機器からの情報の漏洩を抑制するための構造に関する。
【背景技術】
【０００２】
プロジェクタに画像データを供給する媒体として、近年、プロジェクタに直接接続して利用するＵＳＢ（Universal Serial Bus）メモリ等の可搬型記憶媒体が利用されている。このようなプロジェクタは、例えば、ＵＳＢメモリが接続された状態で携帯性が低下しないように、筐体の外周面に、ＵＳＢメモリの外形形状に沿って、内側に向かって没入したＵＳＢメモリ用の収容部を備えている（例えば、引用文献１）。
【０００３】
【特許文献１】特開２００７−２００１０９号公報
【発明の開示】
【発明が解決しようとする課題】
【０００４】
しかしながら、従来のプロジェクタでは、ＵＳＢメモリは、プロジェクタに接続された状態で外部に露出しているため、ＵＳＢメモリの盗難や紛失の虞があった。ＵＳＢメモリの盗難や紛失は、ＵＳＢメモリ内に格納されている情報の漏洩という問題をも生じる。
【０００５】
本発明は上述の課題に鑑みてなされたものであり、直接接続されているＵＳＢ機器から表示すべき画像を表す画像データを取得するプロジェクタにおける、ＵＳＢ機器の盗難、紛失の抑制を目的とする。
【課題を解決するための手段】
【０００６】
本発明は、上述の課題の少なくとも一部を解決するためになされたものであり、以下の形態または適用例として実現することが可能である。
【０００７】
［適用例１］
プロジェクタであって、筐体と、前記筐体に設けられ、前記画像データを記憶するＵＳＢ機器を接続するための接続部と、前記ＵＳＢ機器が前記接続部に接続された状態で前記ＵＳＢ機器を覆うように、前記筐体に装着される被覆部材と、を備えるプロジェクタ。
【０００８】
適用例１のプロジェクタによれば、被覆部材は、ＵＳＢ機器が接続部に接続された状態で、ＵＳＢ機器を覆うように筐体に装着される。従って、ＵＳＢ機器が接続部に接続されている状態で、プロジェクタの外部に露出されることを回避できる。よって、ＵＳＢ機器の盗難・紛失を抑制できる。
【０００９】
［適用例２］
適用例１記載のプロジェクタにおいて、更に、前記接続部を有し、前記ＵＳＢ機器を収容する収容部を備えており、前記被覆部材は、前記収容部に装着されるとともに、前記収容部に装着された状態で前記筐体の外形に沿うように形成されている。適用例２のプロジェクタによれば、被覆部材は、筐体に装着された状態で筐体の外形に沿うように形成されている。従って、ＵＳＢ機器が接続された状態で筐体に装着された被覆部材が、筐体の表面から突出しないので、プロジェクタの設置や運搬時に、ＵＳＢ機器および被覆部材が邪魔になること（障害となること）を抑制できる。
【００１０】
［適用例３］
適用例１または適用例２記載のプロジェクタは、更に、前記プロジェクタの保守もしくは点検に使用される開口部を備え、前記被覆部材は、前記収容部と前記開口部とを共に覆うように形成されている。適用例３のプロジェクタによれば、被覆部材は、ＵＳＢ機器を収容する収容部とプロジェクタの保守・点検に使用される開口部とを共に覆うように形成される。従って、プロジェクタの部材数の増加を抑制できる。
【００１１】
［適用例４］
適用例１ないし適用例３いずれか記載のプロジェクタは、更に、前記ＵＳＢ機器が前記接続部に接続された状態で、前記被覆部材が前記筐体から取り外しされることを防止する防止手段を備える。適用例４のプロジェクタによれば、被覆部材の筐体からの取り外しが防止されるので、被覆部材が装着されている間は、ＵＳＢ機器を容易に取り外すことができなくなる。従って、ＵＳＢ機器の紛失や盗難を抑制できる。
【００１２】
［適用例５］
適用例４記載のプロジェクタは、電源プラグを接続するためのソケットを備えており、前記防止手段は、前記ソケットに前記電源プラグが接続されている場合、前記被覆部材が前記筐体から取り外されることを防止する。一般的に、プロジェクタの稼働中は、電源プラグがソケットに接続されている。従って、適用例４のプロジェクタによれば、稼働中に、誤ってＵＳＢ機器が取り外されることを抑制できる。よって、動作中にＵＳＢ機器が取り外されることによる画像データの破壊、ＵＳＢ機器の損傷を抑制できる。
【００１３】
［適用例６］
適用例４記載のプロジェクタは、電源プラグを接続するためのソケットを備えており、前記防止手段は、前記ソケットに前記電源プラグが接続されていない場合、前記被覆部材が前記筐体から取り外されることを防止する。適用例６のプロジェクタによれば、動作していない状態で設置されている場合や運搬中など、電源非接続時に被覆部材の取り外しが防止される。従って、ＵＳＢ機器の紛失、盗難を抑制できる。
【００１４】
［適用例７］
適用例４記載のプロジェクタは、画像を投射表示するための投射レンズを備えており、前記筐体は、前記投射レンズを保護するためのレンズカバーを備えており、前記防止手段は、前記レンズカバーが開いている場合に、前記被覆部材が前記筐体から取り外されることを防止する。適用例７のプロジェクタによれば、レンズカバーが開いている場合に、被覆部材の取り外しが防止される。一般的に、レンズカバーが開いているときはプロジェクタが動作中であるので、動作中にＵＳＢ機器が取り外されることによる画像データの破壊、ＵＳＢ機器の損傷を抑制できる。
【００１５】
［適用例８］
適用例４記載のプロジェクタは、画像を投射表示するための投射レンズを備えており、前記筐体は、前記投射レンズを保護するための開閉式のレンズカバーを備えており、前記防止手段は、前記レンズカバーが閉じている場合に、前記被覆部材が前記筐体から取り外されることを防止する。適用例８のプロジェクタによれば、レンズカバーが閉じている場合に、被覆部材の取り外しが防止される。一般的に、レンズカバーが閉じているときはプロジェクタが動作していない状態であるので、動作していない状態で設置されている場合や運搬中における、ＵＳＢ機器の紛失、盗難を抑制できる。
【００１６】
［適用例９］
適用例１ないし適用例８いずれか記載のプロジェクタにおいて、前記被覆部材および前記筐体の少なくとも一方は、前記ＵＳＢ機器の接続状態が視認可能となるように構成された確認手段を備える。適用例９のプロジェクタによれば、被覆部材は、ＵＳＢ機器の接続状態を視認可能に構成された確認手段を備えている。従って、被覆部材を筐体に装着した状態で、ＵＳＢ機器が接続されているか否かを利用者が視認することができる。よって、利用者の利便性を向上できる。
【００１７】
［適用例１０］
適用例１ないし適用例９いずれか記載のプロジェクタにおいて、前記被覆部材は、前記ＵＳＢ機器に係合する係合部材であって、前記被覆部材の筐体からの取り外しに伴って、前記ＵＳＢ機器が前記接続部から取り外されるように構成された係合部材を備える。適用例１０のプロジェクタによれば、被覆部材は、筐体からの被覆部材の取り外しに伴って、ＵＳＢ機器が接続部から取り外されるように構成された係合部材を備えている。すなわち、ＵＳＢ機器は、被覆部材の筐体からの取り外し時に、被覆部材と共に接続部から取り外される。従って、利用者は、被覆部材とＵＳＢ機器とをまとめて取り外すことができるため、利用者の手間を省略できる。よって、利用者の利便性を向上できる。
【００１８】
本発明において、上述した種々の態様は、適宜、組み合わせたり、一部を省略したりして適用することができる。
【発明を実施するための最良の形態】
【００１９】
Ａ．第１実施例
Ａ１．プロジェクタ概略構成：
図１および図２を参照して、プロジェクタ１０の概略構成について説明する。図１は、第１実施例におけるプロジェクタの外部構成を例示する説明図である。図２は、第１実施例におけるプロジェクタ１０に設けられている収容部を例示する説明図である。プロジェクタ１０は、取得した画像データに応じて光学像を形成し、形成した光学像を、投射レンズを介して投写面であるスクリーンに投射するプロジェクタである。プロジェクタ１０は、画像を形成する画像形成光学系および画像をスクリーンに投射する投射光学系を収容する外装ケース１１を備える。
【００２０】
外装ケース１１は、筐体１２と蓋１３とを備える。筐体１２は、前面２０，側面２１，２２、背面２３，上面２４および下面２５の６つの長方形状の面を有しており、略直方体状に形成されている。筐体１２には、プロジェクタ１０に投射させるための画像データが格納されているＵＳＢメモリ５０の外形全体を収容するための収容部１６が設けられている。収容部１６は、上面２４から背面２３に亘って窪み状に形成されている。蓋１３は、収容部１６に収容されているＵＳＢメモリ５０を覆うように、収容部１６に装着される。なお、本実施例において、筐体１２は、特許請求の範囲における「筐体」に当たり、蓋１３は特許請求の範囲おける「被覆部材」にあたり、収容部１６は、特許請求の範囲の「収容部」に当たり、ＵＳＢメモリは特許請求の範囲における「ＵＳＢ機器」に当たる。
【００２１】
図２を参照して収容部１６について説明する。図２は、外装ケース１１を背面２３から視認したときの、収容部１６の周辺部分の拡大図である。収容部１６は、それぞれ互いに隣接する側面とほぼ直角に交わる底面１６ａ、側面１６ｂ、１６ｃおよび１６ｄを備えており、外装ケース１１の内側に向かってＵ字状に陥没した形状に形成されている。収容部１６の側面１６ｃには、ＵＳＢメモリ５０のインタフェース３０が設けられている。収容部１６は、ＵＳＢメモリ５０の全体が完全に収容可能な大きさおよび形状となるように形成されており、例えば、利用者がＵＳＢメモリ５０をインタフェース３０に容易に接続できる必要十分な大きさおよび形成に形成されている。第１実施例において、インタフェース３０は、特許請求の範囲の「接続手段」に当たる。
【００２２】
また、収容部１６の側面１６ｂ、１６ｄは、収容部１６の内側に向けて蓋１３を支持するための突状部１６ｅ、１６ｆを備える。突状部１６ｅ、１６ｆは、蓋１３の厚み分だけ、上面２４から内側に形成されている。突状部１６ｅ、１６ｆは、側面１６ｂ、１６ｄから１ｍｍ程度突状に形成されていればよい。なお、突状部１６ｅ、１６ｆを設けなくても良い。
【００２３】
図３は、第１実施例における蓋１３の装着状態を例示する説明図である。図３（ａ）は、蓋１３の装着前の状態を表しており、図３（ｂ）は、蓋１３の装着後の状態を表している。図３（ａ）に示すように、ＵＳＢメモリ５０がインタフェース３０に挿入されると、ＵＳＢメモリ５０の外形全体は収容部１６内に完全に収容される。このとき、ＵＳＢメモリ５０とプロジェクタ１０の画像形成光学系との間の信号制御線が接続される。利用者は、この状態で蓋１３を筐体１２に装着する。
【００２４】
蓋１３は、筐体１２への装着時、筐体１２の外形に沿うように形成されている。すなわち、蓋１３は、筐体１２の外周面である背面２３と上面２４に沿うように、ほぼ段差無く筐体１２に装着される。「ほぼ段差無く」とは、完全に段差が無い状態だけでなく、製造誤差による微少な段差や、筐体１２と蓋１３との境界部分に生じる溝による段差を含むことを意味する。
【００２５】
具体的には、蓋１３は、背面２３の切り欠き部分２３ａ（図３（ａ）に太実線で示す）とほぼ同じ形状に形成されている薄板状の背面部１４と、収容部１６の頂点１６ｇ，１６ｈ，１６ｉ，１６ｊを結合して形成される平面とほぼ同形状に形成されている薄板状の上面部１５を備えており、背面部１４と上面部１５とが略直角に交わるように形成されている。蓋１３をこのように形成することにより、蓋１３は、筐体１２への装着時に、突状部１６ｅ、１６ｆに支持されて、背面部１４が切り欠き部分２３ａに嵌合されるとともに、上面部１５が上面２４に嵌合される。この結果、筐体１２と蓋１３により、外周面に段差の無い外装ケース１１が構成される。
【００２６】
Ａ２．機能ブロック：
図４は、第１実施例におけるプロジェクタ１０を示す説明図である。プロジェクタ１０は、制御部１００と、インタフェース３０と、光源装置３００と、照明光学系３１０と、画像形成光学系３２０と、投写光学系３５０とを有している。光源装置３００は、光源ランプ１１０と図示しない電力供給部を有している。照明光学系３１０は、レンズやミラーなど種々の光学素子を有している。画像形成光学系３２０は、レンズやミラーなどの種々の光学素子によって構成された光分離光学系３２５、液晶ライトバルブ３３０Ｒ、３３０Ｇ、３３０Ｂおよびクロスダイクロイックプリズム３４０を有する。
【００２７】
制御部１００は、光源装置３００と、照明光学系３１０と、画像形成光学系３２０と、投写光学系３５０のそれぞれの動作を制御する。例えば光源装置３００を制御して光を射出させたり、液晶ライトバルブ３３０Ｒのトランジスタの駆動制御を行って画像を形成したりする。制御部１００は、インタフェース３０に接続されたＵＳＢメモリ５０から表示すべき画像を表す画像データＧＤを取得し、取得した画像データＧＤに種々の画像処理を施す。そして、種々の画像処理を施した画像処理後の画像データＧＤに基づいて、画像形成光学系３２０を制御する。
【００２８】
光源装置３００は、制御部１００からの指示に応じて光源ランプ１１０に電力を供給する。光源ランプ１１０は、電力供給を受けて、照射方向Ｄに向けて光を照射する。照射方向Ｄは、光軸ＡＸと平行である。なお、図示を省略しているが、光源ランプ１１０からの光は、平行化レンズを通過して照明光学系３１０に入射するように構成されている。
【００２９】
照明光学系３１０は、光源装置３００からの光の照度を均一化する。また、照明光学系３１０は、光源装置３００からの光の偏光方向を一方向に揃える。この理由は、光源装置３００からの光を有効に利用するためである。照度分布と偏光方向とが調整された光は、画像形成光学系３２０に入射する。
【００３０】
画像形成光学系３２０は、入射光を、赤（Ｒ）、緑（Ｇ）、青（Ｂ）の３つの色光に分離し、制御部１００からの指示に基づいて３つの色光を合成する。具体的には、分離された３つの色光は、各色に対応付けられた液晶ライトバルブ３３０Ｒ、３３０Ｇ、３３０Ｂによって、それぞれ変調され、クロスダイクロイックプリズム３４０によって合成される。合成光は、投写光学系３５０に入射する。
【００３１】
投写光学系３５０は、入射光を、図示しないスクリーンに投写する。これにより、スクリーン上には画像データＧＤにより表される画像が表示される。
【００３２】
なお、光源装置３００、照明光学系３１０、画像形成光学系３２０および投写光学系３５０のそれぞれの構成には、周知の種々の構成を採用可能である。
【００３３】
以上説明した第１実施例のプロジェクタ１０によれば、ＵＳＢメモリ５０の被覆部材としての蓋１３は、ＵＳＢメモリ５０がインタフェース３０に接続された状態で、ＵＳＢメモリ５０を覆うように筐体１２に装着される。従って、ＵＳＢメモリ５０がインタフェース３０に接続されている状態で、外部に露出されることを回避できる。よって、ＵＳＢメモリ５０の盗難・紛失を抑制できる。
【００３４】
また、第１実施例のプロジェクタ１０によれば、蓋１３および収容部１６は、蓋１３が筐体１２に装着された状態で筐体１２の外形に沿うように形成されている。従って、ＵＳＢメモリ５０が接続された状態で、ＵＳＢメモリ５０や筐体１２に装着された蓋１３が、筐体１２の表面から突出しないので、プロジェクタ１０の設置や運搬時に、ＵＳＢメモリ５０および蓋１３が邪魔になることを抑制できる。
【００３５】
Ｂ．第２実施例：
第２実施例では、プロジェクタの電源プラグの接続／非接続に応じて、筐体１２に装着された蓋の取り外しを防止するロック機構を備えるプロジェクタについて説明する。なお、本明細書において、「ロック機構」は特許請求の範囲の「防止手段」に当たる。第２実施例のプロジェクタは、画像形成手段や照明光学系等の内部構成については第１実施例と同様である。
【００３６】
Ｂ１．プロジェクタ概略構成：
図５は、第２実施例におけるプロジェクタ１０ａを説明する説明図である。図５（ａ）は、プロジェクタ１０ａは、電源プラグ６０が差し込まれる電源ソケット６１と、第１実施例と同様に、収容部１６が形成された筐体１２と、収容部１６に装着される蓋１３ａを有している。電源プラグ６０は、一端が電源ソケット６１に接続され、他端が、商用電源に接続されており、電源ソケット６１を介して商用電源からの電力をプロジェクタ１０ａに供給する。第２実施例では、電源プラグ６０がプロジェクタ１０ａに非接続の状態、すなわち、電源プラグ６０が電源ソケット６１に差し込まれていない状態のときに、蓋１３ａの取り外しができないように、プロジェクタ１０ａの筐体１２と蓋１３ａとに、取り外しを防止するロック機構を設けている。ロック機構は、第２実施例では、ロック受け部２６とソレノイド２７とから構成されている。
【００３７】
電源ソケット６１は、電源プラグ６０の接続を検出する検出部６２を備える。検出部６２は、電源ソケット６１に設けられており、電源プラグ６０が電源ソケット６１に形成されると筐体１２の内側に押し込まれるように構成されている。プロジェクタ１０ａは、内部に図示しない二次電池を備えており、検出部６２の押下を検出すると、ソレノイドに電流が供給されるように構成されている。例えば、プロジェクタ１０ａは、検出部６２の押下検出によってオン状態となり、ソレノイドに電力を供給するスイッチ回路を備えていてもよい。
【００３８】
図６は、第２実施例における蓋１３ａのロック機構について説明する模式図である。図６（ａ）〜（ｄ）は、蓋１３ａの筐体１２への装着時のロック機構の動きを、時系列で表している。図６（ａ）に示すように、蓋１３ａは、背面部１４ａと上面部１５ａとを備えている。背面部１４ａと上面部１５ａは、第１実施例の背面部１４と上面部１５とほぼ同一の構成を有している。ただし、第２実施例の背面部１４ａは、背面２３よりも厚く形成されており、筐体１２への装着時に、背面２３に接しない部分にロック受け部２６が構成されている。ロック受け部２６は、窪み状に形成された孔部２６ａを備える。
【００３９】
筐体１２は、背面２３の内側であって、ロック受け部２６に対向する位置にソレノイド２７を備えている。ソレノイド２７は、可動鉄心２８および図示しない内蔵ばね、磁気回路となるフレーム、固定鉄芯および励磁用コイルを備える。可動鉄心２８は、ロック受け部２６の孔部２６ａに嵌合する形状に形成されている。ソレノイド２７は、電源プラグ６０が電源ソケット６１に差し込まれている間（以降、本明細書では「接続中」と呼ぶ）、励磁用コイルに電流が供給されるように構成されている。従って、ソレノイド２７は、接続中、可動鉄心２８が筐体１２の内側方向（ソレノイド２７の内側方向）に向かって可動鉄心２８を引っ張る電磁力が発生するプル型のソレノイドである。
【００４０】
可動鉄心２８は、電源プラグ６０が電源ソケット６１に差し込まれていない状態では、図示しない内蔵ばねの付勢力によって、図６（ａ）に示すように、側面１６ｄから収容部１６の内側に突出している。背面部１４ａに対向する可動鉄心２８の部位は、図６（ａ）に示すように、斜面状に形成されている。これは、背面部１４ａによる押圧に応じて可動鉄心２８を可動させるためである。
【００４１】
図６（ｂ）に示すように、蓋１３ａが筐体１２の上方から収容部１６を覆うように装着されはじめると、可動鉄心２８は背面部１４ａに押圧されて、矢印Ｘ１に示すように筐体１２の内側方向に移動する。筐体１２への蓋１３ａの装着が完了すると、図６（ｃ）に示すように、可動鉄心２８は、内蔵ばね２９の付勢により矢印Ｘ２方向に押され、ロック受け部２６の孔部２６ａに嵌め込まれる。このように、プロジェクタ１０ａは、電源プラグ６０の非接続中に蓋１３ａが筐体１２に装着されると、ロック受け部２６にソレノイド２７の可動鉄心２８が差し込まれたロック状態となる。この結果、非接続中は、筐体１２からの蓋１３ａの取り外しが防止される。
【００４２】
電源ソケット６１に電源プラグ６０が接続されて検出部６２が押圧されると、励磁用コイルに電流が供給される。励磁用コイルに電流が供給されると、ソレノイド２７の励磁用コイルに電磁力が発生し、図６（ｄ）に示すように、可動鉄心２８が筐体１２の内側方向（矢印Ｘ１方向）に向かって引っ張られる。この結果、ロック受け部２６からソレノイド２７の可動鉄心２８が抜かれ、ロック状態が解除される。すなわち、第２実施例のプロジェクタ１０ａは、電源プラグ６０が非接続の間（非接続中）は、蓋１３ａを筐体１２から取り外すことができず、接続されると取り外しが可能となる。
【００４３】
以上説明した第２実施例のプロジェクタ１０ａによれば、蓋１３ａの筐体１２からの取り外しが防止されるので、蓋１３ａが筐体１２に装着されている間は、ＵＳＢメモリ５０を容易に取り外すことができなくなる。従って、ＵＳＢメモリ５０の紛失や盗難を抑制できる。
【００４４】
一般的に、非接続時にはプロジェクタ１０ａは動作しておらず、設置されている場合や運搬中である場合に当たる。従って、第２実施例のプロジェクタ１０ａによれば、電源非接続時（非接続時）に蓋１３ａの取り外しが防止されるので、設置された状態でＵＳＢメモリ５０の管理者がプロジェクタ１０ａの近傍に存在しない場合や、運搬時にプロジェクタ１０ａが乱雑に扱われた場合にも、ＵＳＢメモリ５０の紛失、盗難を抑制できる。
【００４５】
Ｃ．第３実施例：
第３実施例では、投写光学系３５０に含まれる投射レンズのレンズカバーの開閉に応じて、筐体１２に装着される蓋の取り外しを防止するロック機構を設けたプロジェクタについて説明する。第３実施例では、レンズカバーが開かれると、筐体１２からの蓋の取り外しが防止される。第３実施例のプロジェクタにおいて、画像形成手段や照明光学系等の内部構成については第１実施例と同様である。
【００４６】
Ｃ１．プロジェクタ概略構成：
図７は、第３実施例におけるプロジェクタ１０ｂについて説明する説明図である。図７（ａ）は、プロジェクタ１０ｂの概略構成を示しており、図７（ｂ）は、蓋１３ｂの取り外しを防止するためのロック機構について模式的に表している。第３実施例において、ロック機構は、接続部材８０と、ロックバー９０と、貫通孔Ｈとから構成されている。図７（ａ）に示すように、プロジェクタ１０ｂは、投射レンズをカバーするための、スライド式に構成されたレンズカバー４０を備えている。レンズカバー４０は、スライドバー４１をスライド溝４２に沿って矢印Ｙのように移動させることにより、スライドバー４１の動きに連動して開閉する。なお、第３実施例では、スライドバー４１を図面右から左へ移動させることによりレンズカバー４０が開き、スライドバー４１を図面左から右へ移動させることによりレンズカバー４０が閉じるように構成されている。スライドバー４１は、レンズカバー４０と一体的に構成されている。
【００４７】
図７（ｂ）に示すように、スライドバー４１は、レンズカバー４０に接合されている。また、蓋１３ｂの上面部１５ｂは、長辺の略中央部分にスライドバー４１のスライド方向にほぼ平行に形成された貫通孔Ｈを有している。そして、第３実施例のプロジェクタ１０ｂには、ロックバー９０と、ロックバー９０とスライドバー４１とを連結する接続部材８０とが設けられている。ロックバー９０は、貫通孔Ｈの貫通方向の延長上に設けられており、貫通孔Ｈに挿抜可能な形状に構成されている。例えば、貫通孔Ｈが図７（ｂ）に示すように角柱状である場合には、ロックバー９０は、貫通孔Ｈよりも若干小さい角柱状（例えば、長辺に並行に切断した場合の矩形断面の縦横の長さを、０．５ｍｍ程度小さい角柱状）に形成されていればよい。角柱状に限らず、円形や三角形など種々の形状を適用可能である。
【００４８】
筐体１２からの蓋１３ｂの取り外しを防止するロック機構について説明する。図７（ｂ）に示すように、スライドバー４１がレンズカバー４０の開方向に向けて移動されると、スライドバー４１と接続部材８０により連結されたロックバー９０は、スライドバー４１と同方向（レンズカバー４０の開方向）に移動する。この結果、ロックバー９０は貫通孔Ｈに挿入され、蓋１３ｂはロック状態となり、筐体１２からの蓋１３ｂの取り外しができなくなる。スライドバー４１がレンズカバー４０の閉方向に向けて移動されると、ロックバー９０は貫通孔Ｈから抜かれロック状態が解除され、蓋１３ｂの取り外しが可能となる。
【００４９】
以上説明した第３実施例のプロジェクタ１０ｂによれば、レンズカバー４０が開いている場合に、蓋１３ｂの筐体１２からの取り外しが防止される。一般的に、レンズカバー４０が開いているときはプロジェクタ１０ｂが動作中であるので、動作中にＵＳＢメモリ５０が取り外されることによる画像データの破壊、ＵＳＢメモリ５０の損傷を抑制できる。
【００５０】
Ｄ．第４実施例：
第４実施例では、ＵＳＢメモリ５０を収容するための収容部１６を覆うように筐体１２に装着される蓋に、収容部１６の内部すなわち、ＵＳＢメモリ５０の接続状態を利用者により視認可能とする確認窓を設けたプロジェクタについて説明する。第４実施例のプロジェクタにおいて、画像形成手段や照明光学系等の内部構成については第１実施例と同様である。
【００５１】
Ｄ１．プロジェクタ概略構成：
図８は、プロジェクタ１０ｃについて説明する説明図である。図８（ａ）は、プロジェクタ１０ｃの概略構成を示しており、図８（ｃ）は、蓋１３ｃに形成された確認窓から視認される収容部１６内部の状態を示している。
【００５２】
図８（ａ）に示すように、第４実施例の蓋１３ｃは、収容部１６の内部を視認可能に構成された確認窓４００を備える。確認窓４００は、蓋１３ｃの上面部１５ｃに略円形に形成された貫通穴内に、ガラスなどの透明な樹脂が嵌め込まれることにより構成されている。本実施例において、確認窓４００は、特許請求の範囲における「確認手段」に当たる。
【００５３】
例えば、図８（ｂ）に示すように、インタフェース３０にＵＳＢメモリ５０が接続／非接続されている場合、利用者は、図８（ｂ）に斜線ハッチングで示すように、確認窓４００を介してＵＳＢメモリ５０の上面３１を視認できる。すなわち、利用者は、確認窓４００を見ることにより、ＵＳＢメモリ５０が接続されているかを確認できる。
【００５４】
以上説明した第４実施例のプロジェクタ１０ｃによれば、蓋１３ｃは、ＵＳＢメモリ５０の接続状態を視認可能に構成された確認窓４００を備えている。従って、蓋１３ｃを筐体１２に装着した状態で、ＵＳＢメモリ５０が接続されているか否か等ＵＳＢメモリ５０の状態を利用者が視認することができる。よって、利用者の利便性を向上できる。
【００５５】
Ｅ．第５実施例：
第５実施例では、収容部と、プロジェクタの部材の保守・点検等に用いられる開口部とを共に覆うように形成されている蓋を備えるプロジェクタについて説明する。ここで、「プロジェクタの部材」とは、例えば、交換可能な光源ランプや着脱可能なフィルターなどを含む。第５実施例のプロジェクタにおいて、画像形成手段や照明光学系等の内部構成については第１実施例と同様である。
【００５６】
Ｅ１．プロジェクタ概略構成：
図９は、第５実施例におけるプロジェクタ１０ｄの構成について説明する説明図である。プロジェクタ１０ｄは、外装ケース１１ｄとして、筐体１２ｄと蓋１３ｄとを備える。筐体１２ｄは略矩形上に形成されており、筐体１２ｄの一つの隅部には、内側に陥没した収容部２１６を備える。収容部２１６には、ＵＳＢメモリ５０と共に光源ランプ１１０が収容されている。プロジェクタ１０ｄは、光源ランプ１１０を交換可能に構成されており、収容部２１６は、光源ランプ１１０を交換するための開口部を兼ねている。第５実施例において、収容部２１６は、特許請求の範囲における「収容部」および「開口部」に当たる。
【００５７】
蓋１３ｄは、上述の第１実施例において説明した蓋１３と同様に、筐体１２ｄの背面２３と上面２４とにほぼ段差無く筐体１２に装着されるように形成されている。すなわち、収容部２１６を覆うことにより、蓋１３ｄは、ＵＳＢメモリ５０だけでなく、光源ランプ１１０をも併せて被覆するように構成されている。
【００５８】
以上説明した第５実施例のプロジェクタ１０ｄによれば、蓋１３ｄは、ＵＳＢメモリ５０とプロジェクタ１０ｄの他の部材である光源ランプ１１０とを共に被覆するように形成される。従って、プロジェクタ１０ｄの部材の数の増大を抑制できる。
【００５９】
Ｆ．第６実施例：
第６実施例では、ＵＳＢメモリ５０を覆う蓋の筐体１２からの取り外しに伴って、ＵＳＢメモリ５０が蓋とともにインタフェース３０から取り外されるように構成されたプロジェクタについて説明する。第６実施例のプロジェクタにおいて、画像形成手段や照明光学系等の内部構成については第１実施例と同様である。
【００６０】
Ｆ１．プロジェクタ概略構成：
図１０は、第６実施例におけるプロジェクタ１０ｅの概略構成について説明する説明図である。図１１は、第６実施例における蓋１３ｅの構成について説明する説明図である。プロジェクタ１０ｅは、筐体１２および蓋１３ｅを備えている。筐体１２は、第１実施例と同様に、内側にＵＳＢメモリ５０接続用のインタフェース３０を備えている。
【００６１】
第６実施例では、図１０に示すように、筐体１２に装着されている蓋１３ｅの取り外し時に、ＵＳＢメモリ５０も同時にインタフェース３０から取り外されるよう構成されている。
【００６２】
図１１（ａ）に示すように、蓋１３ｅは、背面部１４ｅと、上面部１５ｅと、係合部７０を備える。係合部７０は、上面部１５ｅにおける背面部１４ｅとは逆側の端部に設けられた薄板状の部材であり、筐体１２に装着した状態でＵＳＢメモリ５０のコネクタ５１に対応する位置に形成された切り欠き部７１と、蓋１３ｅの取り外し時にＵＳＢメモリ５０に当接する当接部７２とから構成される。切り欠き部７１の幅Ｄは、ＵＳＢメモリ５０のコネクタ５１の幅ｄに一致もしくは幅ｄよりも若干（例えば、１ｍｍ程度）大きく形成されている。なお、ＵＳＢメモリ５０のコネクタ５１の幅ｄは、予め規格により規定されている。本実施例において、係合部７０は、特許請求の範囲における「係合部材」に当たる。
【００６３】
蓋１３ｅは、ＵＳＢメモリ５０がインタフェース３０に接続されている状態で、図１１（ｂ）に示すように、収容部１６の上方（上面２４側）から筐体１２に装着される。ＵＳＢメモリ５０のコネクタ５１は、インタフェース３０に接続された状態で、本体５２とインタフェース３０が設けられている側面１６ｃとの間に数ミリ程度の隙間が生じており、蓋１３ｅの筐体１２への装着に伴い、係合部７０が本体５２と側面１６ｃとの隙間に挿入される。この結果、図１１（ｃ）に示すように、コネクタ５１は切り欠き部７１に嵌合する。
【００６４】
蓋１３ｅは、水平方向（ＵＳＢメモリ５０の挿抜方向）に引き抜かれることにより、筐体１２から取り外される。このとき、当接部７２がＵＳＢメモリ５０の本体５２に当接する。言い換えれば、ＵＳＢメモリ５０が係合部７０に係合した（引っ掛かった）状態となる。よって、蓋１３ｅを引き抜いて筐体１２から取り外すと、蓋１３ｅの係合部７０に引っ掛かっているＵＳＢメモリ５０も蓋１３ｅと共に水平方向に引っ張られる。この結果、ＵＳＢメモリ５０はインタフェース３０から引き抜かれる。
【００６５】
以上説明した第６実施例のプロジェクタ１０ｅによれば、蓋１３ｅは、筐体１２からの蓋１３ｅの取り外しに伴って、ＵＳＢメモリ５０がインタフェース３０から取り外されるように構成された係合部７０を備えている。すなわち、ＵＳＢメモリ５０は、蓋１３ｅの筐体１２からの取り外し時に、蓋１３ｅと共にインタフェース３０から取り外される。従って、利用者は、蓋１３ｅとＵＳＢメモリ５０とをまとめて取り外すことができるため、利用者の手間を省略できる。よって、利用者の利便性を向上できる。
【００６６】
Ｇ．第７実施例：
第７実施例では、外部記憶装置やＵＳＢメモリ５０以外の記憶媒体等を接続するための接続インタフェースを、ＵＳＢメモリ５０とともに覆う蓋１３ｆを備えるプロジェクタ１０ｆについて説明する。第７実施例のプロジェクタにおいて、画像形成手段や照明光学系等の内部構成については第１実施例と同様である。
【００６７】
Ｇ１．プロジェクタ概略構成：
図１２は、第７実施例におけるプロジェクタ１０ｆを説明する説明図である。図１２（ａ）は、プロジェクタ１０ｆの概略構成を示す斜視図であり、図１２（ｂ）は、外部記憶装置やＵＳＢメモリ５０以外の記憶媒体等を接続するための接続インタフェース群を、プロジェクタ１０ｆの背面２３側からみた平面図である。第７実施例において、収容部２２６には、ＵＳＢメモリ５０のインタフェース３０と、各種機器の接続インタフェースが設けられている。
【００６８】
各種インタフェースとしては、第７実施例では、図１２（ｂ）に示すように、ＵＳＢメモリ５０接続用のインタフェース３０の他に、ＤＶＤプレーヤーやゲーム機器を接続するためのコンポーネント入力端子９１，パソコン等をシリアル接続するための端子であるコントロール端子９２（例えば、ＲＳ−２３２Ｃ）、ビデオを接続するためのビデオ端子９３，ビデオカメラ等を接続するためのＳビデオ端子９４およびパソコンと接続するためのＰＣ／コンポーネント端子９５（ＶＧＡコネクタ用）を備える。
【００６９】
蓋１３ｆは、筐体１２に装着された状態で、インタフェース３０に接続されたＵＳＢメモリ５０だけでなく、各種端子９１〜９５も被覆するように形成されている。
【００７０】
以上説明した第７実施例のプロジェクタ１０ｆによれば、ＵＳＢメモリ５０と各種端子９１〜９５とをまとめて被覆するように蓋１３ｆが形成されている。従って、ＵＳＢメモリ５０から画像データを読み込んでスクリーンに画像を表示する際に、インタフェース３０以外の各種端子９１〜９５への埃等の付着を抑制できる。よって、プロジェクタ１０ｆの故障を抑制できる。
【００７１】
Ｈ．第８実施例：
第８実施例では、ＵＳＢメモリ５０がインタフェース３０に接続された状態で、ＵＳＢメモリ５０内に記憶されている情報（画像データＧＤ）をホストコンピュータから編集可能に構成したプロジェクションシステムについて説明する。
【００７２】
Ｈ１．プロジェクタ概略構成：
図１３は、第８実施例のプロジェクションシステム１０００について説明する説明図である。プロジェクションシステム１０００は、第１実施例において説明したプロジェクタ１０と、ホストコンピュータＰＣを備える。第８実施例では、ＵＳＢメモリ５０とホストコンピュータＰＣは、相互に無線通信可能となるように無線ＬＡＮや赤外線通信などの無線通信手段を備えている。ホストコンピュータＰＣには、ＵＳＢメモリ５０に記憶されている画像データＧＤを編集可能なアプリケーションソフトが組み込まれている。
【００７３】
第８実施例のＵＳＢメモリ５０は、インタフェース３０を介してホストコンピュータＰＣと通信するための電力をプロジェクタ１０から取得している。
【００７４】
ホストコンピュータＰＣは、ＵＳＢメモリ５０を外部記憶装置として認識する。利用者は、アプリケーションソフトを用いてＵＳＢメモリ５０内の画像データＧＤを編集することができる。
【００７５】
以上説明した第８実施例のプロジェクションシステム１０００によれば、ＵＳＢメモリ５０をプロジェクタ１０に接続した状態で、ＵＳＢメモリ５０に記憶されている画像データＧＤを編集できる。従って、画像データＧＤの編集を所望する場合に、ＵＳＢメモリ５０を、その都度、プロジェクタ１０から取り外す必要が無くなる。よって、ＵＳＢメモリ５０の紛失、画像データの盗難を抑制できるとともに、利用者の利便性を向上できる。
【００７６】
なお、プロジェクタ１０は、第２実施例のプロジェクタ１０ａ〜プロジェクタ１０ｆを適用してもよい。例えば、第２実施例、第３実施例のように、ＵＳＢメモリ５０の取り外しが禁止（防止）されるロック機構を備える場合には、ロックを外すことなく画像データＧＤの編集を行うことができ、好適である。
【００７７】
Ｉ．変形例：
（１）上述の各実施例の蓋もしくは筐体１２に、更に、ＵＳＢメモリ５０の動作状態を視認可能なインジケータを設けても良い。図１４は、変形例におけるプロジェクタ１０ｇの概略構成について説明する説明図である。図１４（ａ）は、蓋にインジケータを設けた例を示しており、図１４（ｂ）は、筐体１２にインジケータを設けた例を示している。変形例のプロジェクタにおいて、画像形成手段や照明光学系等の内部構成については第１実施例と同様である。
【００７８】
図１４（ａ）に示すように、変形例のプロジェクタ１０ｇは、蓋１３ｇに、インジケータ５００を有する。また、図１４（ｂ）に示すように、変形例のプロジェクタ１０ｈは、筐体１２にインジケータ５０１を有する。インジケータ５００、５０１は、例えば、エルイーディー（ＬＥＤ）等の発光素子を用いて構成されている。プロジェクタ１０ｇの制御部（図示省略）は、ＵＳＢメモリ５０がインタフェース３０に接続されている場合や、制御部がＵＳＢメモリにアクセスしている場合等、種々の任意のタイミングでインジケータ５００、５０１を表示させてもよい。インジケータ５００、５０１と制御部とは、有線もしくは無線により接続されている。インジケータ５００、５０１は、特許請求の範囲の「確認手段」の一態様に含まれる。
【００７９】
変形例のプロジェクタによれば、蓋が装着されＵＳＢメモリ５０が外部から視認できない状態であっても、ＵＳＢメモリ５０の動作状態がインジケータ５００、５０１により外部から一目でわかるため、利用者の利便性の向上を図ることができる。
【００８０】
（２）第２実施例および第３実施例では、ロックバー９０を孔部２６ａもしくは貫通孔Ｈに挿入することにより、蓋がロック状態となるようにロック機構を構成しているが、ロック機構は、第２実施例および第３実施例に記載した態様に限られるものではなく、蓋等の部品を他の部品から取り外すことを防止する周知の種々の構成を適用可能である。例えば、一般的なシリンダー状や南京錠を設けても良い。また、例えば、ロック機構に、指紋認証や静脈認証を併せて設けても良い。
【００８１】
（３）第３実施例では、スライドバー４１の動作に伴ってロック機構が動作するように構成されているが、例えば、スライドバー４１の開閉を検知するセンサを設け、センサの検出結果に応じて、ロック機構を動作するように構成してもよい。こうすれば、接続部材８０を設ける必要がないため、接続部材８０の損傷によるロック機構の動作不良を回避できる。また、第２実施例においても、同様に、電源プラグ６０の接続を検出するセンサを設け、センサの検出結果に応じてロック機構を動作するように構成してもよい。
【００８２】
（４）第２実施例では、電源プラグ６０がプロジェクタ１０ａに接続されていない状態、すなわち、電源プラグ６０が電源ソケット６１に差し込まれていない状態のときに、蓋１３ａの取り外しができないように、プロジェクタの筐体１２と蓋１３ａとに、取り外しを防止するロック機構を設けているが、例えば、第２実施例の構成とは逆に、電源プラグがプロジェクタに接続され、プロジェクタが稼働している状態、すなわち、電源プラグ６０が電源ソケット６１に差し込まれている状態のときに、蓋１３ａの取り外しができないように、ロック機構を構成してもよい。この場合、ロック機構に含まれるソレノイドをプッシュ型に構成すればよい。こうすれば、接続中は、可動鉄心２８がロック受け部２６に挿入されているため、蓋１３ａはロック状態となり、蓋１３ａの取り外しが防止される。従って、動作中など電源が供給されている状態で、誤ってＵＳＢメモリ５０が取り外されることを抑制できる。よって、プロジェクタ１０ａの動作中にＵＳＢメモリ５０が取り外されることによる画像データの破壊、ＵＳＢ機器の損傷を抑制できる。なお、ここで「稼働している状態」とは、プロジェクタの電源が投入され画像表示処理を行っている場合だけでなく、単に、電源プラグ６０が電源ソケット６１に接続されている状態をも含むことを意味する。
【００８３】
（５）第３実施例では、レンズカバー４０が開かれると、筐体１２からの蓋１３ｂの取り外しが防止されるように構成されているが、例えば、レンズカバー４０が閉じられると、筐体１２からの蓋１３ｂの取り外しが防止されるように構成してもよい。この場合、例えば、第３実施例とは逆に、ロックバー９０が、蓋１３ｂの図面左側から貫通孔Ｈに挿入されるように構成すればよい。レンズカバー４０は、スライドバー４１が図７の図面左から右に移動されることにより閉じるように構成されているので、本変形例のように構成することにより、レンズカバー４０が閉じられると、蓋１３ｂはロック状態となり、筐体１２からの蓋１３ｂの取り外しが防止される。一般的に、レンズカバー４０が閉じられている場合、プロジェクタ１０ｂは動作していない状態で設置されている場合や運搬中などである。従って、設置された状態でＵＳＢメモリ５０の管理者がプロジェクタ１０ｂの近傍に存在しない場合や、運搬時にプロジェクタ１０ｂが乱雑に扱われた場合にも、ＵＳＢメモリ５０の紛失、盗難を抑制できる。
【００８４】
（６）上述の各実施例では、ＵＳＢメモリ５０を被覆する被覆部材として取り外し可能な蓋が用いられているが、被覆部材としては蓋に限られない。例えば、筐体１２に取り付けられた開閉可能な蓋や、ＵＳＢメモリ５０の全体を覆うように設けられるカバーなど種々の態様を適用可能である。
【００８５】
（７）上述の各実施例では、ＵＳＢメモリ５０の被覆部材としての蓋は、筐体１２の外形に沿うように、すなわち、筐体１２の外周面と段差がほぼ生じないように形成されているが、例えば、ＵＳＢメモリ５０の被覆部材が、筐体１２の外形（外周面）から突出するように形成されていてもよい。例えば、インタフェース３０に接続された状態でＵＳＢメモリ５０が筐体１２から突出しており、被覆部材としてＵＳＢメモリ５０の外形（少なくとも筐体１２から突出している部分）を覆うカバー状の部材を用いてもよい。この場合、どの部分にＵＳＢメモリ５０が設置されているか明確にわかるという利点がある。
【００８６】
（８）上述の第１実施例、第４実施例〜第７実施例では、蓋１３を筐体１２から取り外し防止とするロック機構は備えられていないが、第１実施例、第４実施例〜第７実施例のプロジェクタにロック機構を備えてもよいことは言うまでもない。
【００８７】
（９）上述の第４実施例では、蓋１３ｃの確認窓４００には、ガラス等の樹脂が嵌め込まれているが、例えば、ガラス等の樹脂が嵌め込まれておらず、単なる貫通孔であっても良い。また、例えば、確認窓４００を開閉可能な構成としてもよい。収容部１６の内部が視認できる態様であれば、確認窓４００は種々の形状、構成を適用可能である。
【００８８】
（１０）上述の第５実施例では、光源ランプ１１０とＵＳＢメモリ５０とをともに被覆するように蓋１３ｄが構成されているが、例えば、フィルターなど他の部材とＵＳＢメモリ５０とをともに被覆するように蓋を構成してもよい。また、１以上の他の部材とＵＳＢメモリ５０とをまとめて被覆するように蓋を構成してもよい。
【００８９】
（１１）上述の第８実施例では、ＵＳＢメモリ５０とホストコンピュータＰＣとが、直接、無線通信を行うこととしているが、例えば、プロジェクタ１０を介してホストコンピュータＰＣとＵＳＢメモリ５０とが通信を行うように構成してもよい。この場合、プロジェクタ１０とホストコンピュータＰＣとの間は有線／無線いずれの通信態様でもよい。また、プロジェクタと携帯電話とが赤外線等による通信を行い、画像データの編集を行うことができるように構成してもよい。
【００９０】
以上、本発明の種々の実施例について説明したが、本発明はこれらの実施例に限定されず、その趣旨を逸脱しない範囲で種々の構成をとることができる。
【図面の簡単な説明】
【００９１】
【図１】第１実施例におけるプロジェクタ１０の概略構成を例示する説明図。
【図２】第１実施例におけるプロジェクタ１０に形成されている収容部１６を例示する説明図。
【図３】第１実施例における蓋１３の装着状態を例示する説明図。
【図４】第１実施例におけるプロジェクタ１０の内部構成を例示する説明図。
【図５】第２実施例におけるプロジェクタ１０ａの概略構成を例示する説明図。
【図６】第２実施例における蓋１３ａのロック機構について説明する模式図。
【図７】第３実施例におけるプロジェクタ１０ｂの概略構成について説明する説明図。
【図８】第４実施例におけるプロジェクタ１０ｃの概略構成について説明する説明図。
【図９】第５実施例におけるプロジェクタ１０ｄの概略構成について説明する説明図。
【図１０】第６実施例におけるプロジェクタ１０ｅの概略構成について説明する説明図
【図１１】第６実施例における蓋１３ｅの構成について説明する説明図。
【図１２】第７実施例におけるプロジェクタ１０ｆを説明する説明図。
【図１３】第８実施例のプロジェクションシステム１０００について説明する説明図。
【図１４】変形例におけるプロジェクタ１０ｇ、１０ｈの概略構成について説明する説明図。
【符号の説明】
【００９２】
１０、１０ａ、１０ｂ、１０ｃ、１０ｄ、１０ｅ、１０ｆ、１０ｇ、１０ｈ…プロジェクタ、１１、１１ｄ…外装ケース、１２、１２ｄ…筐体、１３、１３ａ、１３ｂ、１３ｃ、１３ｄ、１３ｅ、１３ｆ、１３ｇ…蓋、１４、１４ａ、１４ｅ…背面部、１５ａ、１５ｂ、１５ｃ、１５ｄ、１５ｅ…上面部、１６、２１６，２２６…収容部、１６ａ…底面、１６ｂ…側面、１６ｃ…側面、１６ｄ…側面、１６ｅ…突状部、１６ｇ、１６ｈ、１６ｉ、１６ｊ…頂点、２０…前面、２１…側面、２３…背面、２３ａ…切り欠き部分、２４…上面、２５…下面、２６…ロック受け部、２６ａ…孔部、２７…ソレノイド、２８…可動鉄心、３０…インタフェース、３１…上面、４０…レンズカバー、４１…スライドバー、４２…スライド溝、５１…コネクタ、５２…本体、６０…電源プラグ、６１…電源ソケット、７０…係合部、７１…切り欠き部、７２…当接部、８０…接続部材、９０…ロックバー、９１…コンポーネント入力端子、９２…コントロール端子、９３…ビデオ端子、９４…Ｓビデオ端子、９５…ＰＣ／コンポーネント端子、１００…制御部、１１０…光源ランプ、３００…光源装置、３１０…照明光学系、３２０…画像形成光学系、３２５…光分離光学系、３３０Ｒ、３３０Ｇ、３３０Ｂ…液晶ライトバルブ、３４０…クロスダイクロイックプリズム、３５０…投写光学系、４００…確認窓
【図１】
2010055363.tif 000003
【図２】
2010055363.tif 000004
【図３】
2010055363.tif 000005
【図４】
2010055363.tif 000006
【図５】
2010055363.tif 000007
【図６】
2010055363.tif 000008
【図７】
2010055363.tif 000009
【図８】
2010055363.tif 000010
【図９】
2010055363.tif 000011
【図１０】
2010055363.tif 000012
【図１１】
2010055363.tif 000013
【図１２】
2010055363.tif 000014
【図１３】
2010055363.tif 000015
【図１４】
2010055363.tif 000016